(57)【要約】【課題】データを複数の態様で提供し且つ、いずれの態様からもデータを更新可能とする。【解決手段】情報表示装置（１００）は、（ｉ）複数のデータセット（１２１）のうち一のデータセットに含まれる複数のデータ項目の少なくとも第１の部分に対応するデータ値を文字により示し、且つデータ値の少なくとも一部を変更可能な第１画像を表示部（１１）に出力可能であると共に、（ｉｉ）上記一のデータのセットに含まれる複数のデータ項目の少なくとも第２の部分に対応するデータ値を図式的に示し、且つデータ値の少なくとも一部を変更可能な第２画像を表示部に出力可能な出力手段（１３）と、第１画像及び第２画像の一方に対する変更指示が入力手段（１５）により受け付けられた場合、該受け付けられた変更指示に応じて、上記一のデータセットに含まれるデータ値の少なくとも一部に対して変更を加える制御手段（１３）と、を備える。【選択図】図５
2013020340.tif 000002
【特許請求の範囲】
【請求項１】
表示部と、
ユーザの入力を受付可能な入力手段と、
夫々（ｉ）複数のデータ項目及び（ｉｉ）前記複数のデータ項目に夫々対応する複数のデータ値を含んでなる複数のデータセットを格納する格納手段と、
（ｉ）前記格納された複数のデータセットのうち一のデータセットに含まれる複数のデータ項目の少なくとも第１の部分に対応するデータ値を文字により示し、且つ前記文字により示されたデータ値の少なくとも一部を変更可能な第１画像を前記表示部に出力可能であると共に、（ｉｉ）前記一のデータのセットに含まれる複数のデータ項目の少なくとも第２の部分に対応するデータ値を図式的に示し、且つ前記図式的に示されたデータ値の少なくとも一部を変更可能な第２画像を前記表示部に出力可能な出力手段と、
前記入力手段により前記ユーザの入力が受け付けられた際に、前記受け付けられた入力に応じて、前記第１画像及び前記第２画像の少なくとも一方の画像を前記表示部に出力するように前記出力手段を制御する制御手段と、
を備え、
前記出力された少なくとも一方の画像に対する第１の変更指示が前記入力手段により受け付けられた場合、前記制御手段は、前記受け付けられた第１の変更指示に応じて、前記一のデータセットに含まれるデータ値の少なくとも一部に対して変更を加える
ことを特徴とする情報表示装置。
【請求項２】
前記第１画像及び前記第２画像が前記表示部に出力されている際に、前記出力された第１画像及び第２画像の一方に対する第２の変更指示が前記入力手段により受け付けられた場合、前記制御手段は、前記受け付けられた第２の変更指示に応じて、前記一のデータセットに含まれるデータ値の少なくとも一部に対して変更を加えると共に、前記変更が加えられた一のデータセットに基づいて、前記出力された第１画像及び第２画像の他方を更新するように前記出力手段を制御する
ことを特徴とする請求項１に記載の情報表示装置。
【請求項３】
前記複数のデータセット各々は、対応する患者の疾病に係る診療工程に含まれる一又は複数の医療行為に係る項目を、前記複数のデータ項目の少なくとも一部として含むことを特徴とする請求項１又は２に記載の情報表示装置。
【請求項４】
前記格納手段は、更に、前記一又は複数の医療行為の少なくとも一部に対応付けられた複数の診療ガイドラインを格納し、
前記出力手段は、更に、前記格納された複数の診療ガイドラインのうち、前記一又は複数の医療行為のうち一の医療行為に対応付けられた診療ガイドラインを前記表示部に出力可能である
ことを特徴とする請求項３に記載の情報表示装置。
【請求項５】
前記格納された複数の診療ガイドラインの少なくとも一部に基づいて、前記診療工程を示す情報である診療工程情報を生成する診療工程生成手段を更に備えることを特徴とする請求項４に記載の情報表示装置。
【請求項６】
前記一のデータセットに含まれ、前記一又は複数の医療行為のうち一の医療行為に対応するデータ値に、少なくとも基づいて、前記一の医療行為に係る評価指標を特定する特定手段を更に備えることを特徴とする請求項３乃至５のいずれか一項に記載の情報表示装置。
【請求項７】
当該情報表示装置は、ネットワークを介して、サーバ装置に接続されており、
前記サーバ装置に対し、前記ネットワークを介して、前記格納手段に格納された複数のデータセット各々に含まれる複数のデータ値の少なくとも一部を対応するデータ項目と共に送信する通信手段を更に備える
ことを特徴とする請求項１乃至６のいずれか一項に記載の情報表示装置。
【発明の詳細な説明】
【技術分野】
【０００１】
本発明は、例えばユーザを支援するため等に用いられる情報表示装置の技術分野に関する。本発明は、典型的には、医療情報システムにおいて、医師等のユーザを支援するために好適に用いられる医療情報表示装置の技術分野に関する。
【背景技術】
【０００２】
この種の装置として、例えば、臨床動作が所定のプロトコルを守っているか否かを検査し、医師、看護師等の互いに異なるヘルスケア専門家各々が行わなければならないタスクの概要を提供し、診断的及び治療的決定をする際にヘルスケア専門家を補助するシステムが提案されている。ここでは特に、シェーマ図上で、物理検査の結果を入力及び表示可能であることが開示されている（特許文献１参照）。
【０００３】
或いは、例えば、画面上に表示された人体の模式図に含まれる一の部位が選択されると、該選択された一の部位に対応する病名選択項目を表示し、該表示された病名選択項目のうち一の病名が選択されると、該選択された一の病名に対応する詳細な処置方法データを取得して、該取得された処置方法データを処置情報ウィンドウとして表示する装置が提案されている（特許文献２参照）。
【先行技術文献】
【特許文献】
【０００４】
【特許文献１】特開２００９−５１４０８７号公報
【特許文献２】特開２００３−２７１６７２号公報
【発明の概要】
【発明が解決しようとする課題】
【０００５】
しかしながら、上述の背景技術では、データを複数の態様でユーザに提供することが困難である。すると、例えば、詳細を把握するために数値等の文字データを画面上に表示させる場合と、患者に説明する際、直観的に内容を把握可能とするために画像データを画面上に表示させる場合と、で異なる装置（又は、異なるソフトウェア）を用いなければならないという技術的問題点がある。加えて、異なる装置（又は、異なるソフトウェア）間においてデータの同期をとることは容易ではないという技術的問題点がある。
【０００６】
本発明は、例えば上記問題点に鑑みてなされたものであり、データを複数の態様でユーザに提供でき、且つ、いずれの態様からもデータを更新することができる情報表示装置を提案することを課題とする。
【課題を解決するための手段】
【０００７】
本発明の情報表示装置は、上記課題を解決するために、表示部と、ユーザの入力を受付可能な入力手段と、夫々（ｉ）複数のデータ項目及び（ｉｉ）前記複数のデータ項目に夫々対応する複数のデータ値を含んでなる複数のデータセットを格納する格納手段と、（ｉ）前記格納された複数のデータセットのうち一のデータセットに含まれる複数のデータ項目の少なくとも第１の部分に対応するデータ値を文字により示し、且つ前記文字により示されたデータ値の少なくとも一部を変更可能な第１画像を前記表示部に出力可能であると共に、（ｉｉ）前記一のデータのセットに含まれる複数のデータ項目の少なくとも第２の部分に対応するデータ値を図式的に示し、且つ前記図式的に示されたデータ値の少なくとも一部を変更可能な第２画像を前記表示部に出力可能な出力手段と、前記入力手段により前記ユーザの入力が受け付けられた際に、前記受け付けられた入力に応じて、前記第１画像及び前記第２画像の少なくとも一方の画像を前記表示部に出力するように前記出力手段を制御する制御手段と、を備え、前記出力された少なくとも一方の画像に対する第１の変更指示が前記入力手段により受け付けられた場合、前記制御手段は、前記受け付けられた第１の変更指示に応じて、前記一のデータセットに含まれるデータ値の少なくとも一部に対して変更を加える。
【０００８】
本発明の情報表示装置によれば、当該情報表示装置は、例えば液晶ディスプレイ、有機ＥＬ（ｅｌｅｃｔｒｏｌｕｍｉｎｅｓｃｅｎｃｅ）ディスプレイ等である表示部と、ユーザの入力を受付可能な、例えばキーボード、マウス、ペンタブレット等である入力手段と、を備えて構成されている。尚、入力手段は、表示部と一体として構成されたタッチパネルであってもよい。
【０００９】
例えばフラッシュメモリ、ハードディスク等である格納手段は、複数のデータセットを格納する。該複数のデータセット各々は、（ｉ）複数のデータ項目及び（ｉｉ）該複数のデータ項目に夫々対応する複数のデータ値を含んでいる。ここで、「データ値」は、数値（即ち、数値属性）に限らず、文字（即ち、文字属性：ｃｈａｒａｃｔｅｒ）であってもよい。
【００１０】
例えばメモリ、プロセッサ等を備えてなる出力手段は、格納された複数のデータセットのうち一のデータセットに含まれる複数のデータ項目の少なくとも第１の部分に対応するデータ値を文字により示し、且つ該文字により示されたデータ値の少なくとも一部を変更可能な第１画像を表示部に出力可能である。
【００１１】
出力手段は、更に、上記一のデータのセットに含まれる複数のデータ項目の少なくとも第２の部分に対応するデータ値を図式的に示し、且つ該図式的に示されたデータ値の少なくとも一部を変更可能な第２画像を表示部に出力可能である。
【００１２】
「第１の部分」と「第２の部分」とは、互いに異なる部分であってもよいし、同一の部分であってもよいし、互いに一部が重複していてもよい。或いは、第１の部分及び第２の部分の一方が他方に包含されていてもよい。
【００１３】
「データ値を図式的に示す」とは、例えばデータ項目に対応する若しくは関連する図、データ項目及びデータ値を記号化したアイコン、データ項目及びデータ値を示すボタン等の画面に表示される図を用いてデータ値示すこと、或いは、該図と文字との組み合わせにより該データ値を示すこと、を意味する。ここで、「図」は、幾何学的な形状（即ち、図形）に限らず、図面、図表、絵画、地図等をも含む概念である。図は、図柄と称してもよく、典型的には２次元画像から構成されるが、３次元画像であっても構わない。
【００１４】
「変更可能」とは、画像内に含まれる、例えば入力欄に文字や数値等を入力する、或いは、選択肢やアイコン等を選択する等によって、画像内に含まれるデータ値を変更又は未入力のデータ値を入力して、第１画像及び第２画像のいずれかに変更を加えることにより、別途、例えば管理画面等を介することなく、一のデータセットに含まれるデータ値を変更できることを意味する。
【００１５】
例えばメモリ、プロセッサ等を備えてなる制御手段は、入力手段によりユーザの入力が受け付けられた際に、該受け付けられた入力に応じて、第１画像及び第２画像の少なくとも一方の画像を表示部に出力するように出力手段を制御する。
【００１６】
表示部上に、「第１画像」及び「第２画像」の両方が表示される場合、「第１画像」及び「第２画像」各々の詳細が常に表示されなくてもよい。具体的には例えば、表示部上に、「第１画像」及び「第２画像」の一方の詳細が表示されており、「第１画像」及び「第２画像」の他方が、アイコンやタブ等の形態で表示されていてもよい。
【００１７】
制御手段は、第１画像及び第２画像のうち、表示部に出力された少なくとも一方の画像に対する第１の変更指示が入力手段により受け付けられた場合、該受け付けられた第１の変更指示に応じて、一のデータセットに含まれるデータ値の少なくとも一部に対して変更を加える。
【００１８】
「変更指示」は、具体的には例えば、第１画像については入力欄への文字入力や選択肢の選択等であり、第２画像については表示された図上の座標若しくは範囲の指定又は変更等である。
【００１９】
以上の結果、本発明の情報表示装置によれば、ユーザに対し、データを複数の態様で提供できると共に、第１画像及び第２画像のいずれからも一のデータセットに含まれるデータ値の少なくとも一部に対して変更を加えることができる。
【００２０】
本発明の情報表示装置の一態様では、前記第１画像及び前記第２画像が前記表示部に出力されている際に、前記出力された第１画像及び第２画像の一方に対する第２の変更指示が前記入力手段により受け付けられた場合、前記制御手段は、前記受け付けられた第２の変更指示に応じて、前記一のデータセットに含まれるデータ値の少なくとも一部に対して変更を加えると共に、前記変更が加えられた一のデータセットに基づいて、前記出力された第１画像及び第２画像の他方を更新するように前記出力手段を制御する。
【００２１】
この態様によれば、第１画像及び第２画像の両方が表示部上に表示されている際に、該第１画像及び第２画像の一方に対して加えられた変更を、該第１画像及び第２画像の他方に適切に反映することができ、実用上非常に有利である。
【００２２】
本発明の情報表示装置の他の態様では、前記複数のデータセット各々は、対応する患者の疾病に係る診療工程（即ち、診療プロセス）に含まれる一又は複数の医療行為に係る項目を、前記複数のデータ項目の少なくとも一部として含む。
【００２３】
この態様によれば、当該情報表示装置を、医療機関における診療を支援するための診療支援ツールとして用いることができる。
【００２４】
「対応する患者」とは、複数のデータセットに夫々対応する患者を意味する。つまり、複数のデータセットのうち一のデータセットは、一の患者に対応していることを意味する。
【００２５】
この態様では、前記格納手段は、更に、前記一又は複数の医療行為の少なくとも一部に対応付けられた複数の診療ガイドラインを格納し、前記出力手段は、更に、前記格納された複数の診療ガイドラインのうち、前記一又は複数の医療行為のうち一の医療行為に対応付けられた診療ガイドラインを前記表示部に出力可能であってよい。
【００２６】
このように構成すれば、当該情報表示装置のユーザとしての医師等が、比較的容易にして診療ガイドラインを参照することができ、実用上非常に有利である。
【００２７】
「診療ガイドライン」とは、医療現場において適切な診断と治療とを補助することを目的として、病気の予防、診断、治療、予後予測等の診療の根拠や手順についての情報が、専門家によりわかりやすくまとめられた指針である。
【００２８】
この態様では、前記格納された複数の診療ガイドラインの少なくとも一部に基づいて、前記診療工程を示す情報である診療工程情報を生成する診療工程生成手段を更に備えてよい。
【００２９】
このように構成すれば、比較的容易にして標準的な診療工程に係る情報を、ユーザとしての医師等に提供することができる。この結果、医師等が適切な医療行為を採用することができ、医療の質の向上を図ることができる。
【００３０】
この態様では、前記一のデータセットに含まれ、前記一又は複数の医療行為のうち一の医療行為に対応するデータ値に、少なくとも基づいて、前記一の医療行為に係る評価指標を特定する特定手段を更に備えてよい。
【００３１】
このように構成すれば、ユーザとしての医師等が、患者に対する診療を進めながら、該患者に施した医療行為に対する評価を得ることができる。このため、医師等が、比較的容易にして、医療行為の効果の判断を行うことができ、実用上非常に有利である。
【００３２】
本発明に係る「特定」とは、評価指標を直接的に特定することに限定されず、何らかの物理量又はパラメータ等から予め設定されたアルゴリズムや算出式に基づいて、評価指標を算出又は導出する（即ち、間接的に特定する）ことをも含む包括的な概念である。
【００３３】
「評価指標」は、（ｉ）例えば予め定められた理想的な実施内容と、一のデータセットに含まれる実際の実施内容（即ち、一の医療行為に対応するデータ値）と、に応じて、或いは、（ｉｉ）例えば診療質評価指標（Ｑｕａｌｉｔｙ  Ｉｎｄｉｃａｔｏｒ：ＱＩ）や統計指標等の既存の指標に基づいて、或いは、（ｉｉｉ）例えば複数のデータセット各々に含まれるデータ値等に応じて、特定される。「評価指標」には、例えば診療の段階に応じて、例えば「状態認識」に係る指標、「計画」に係る指標、「実施」に係る指標、「アウトカム（結果）」に係る指標等が存在する。
【００３４】
本発明の情報表示装置の他の態様では、当該情報表示装置は、ネットワークを介して、サーバ装置に接続されており、前記サーバ装置に対し、前記ネットワークを介して、前記格納手段に格納された複数のデータセット各々に含まれる複数のデータ値の少なくとも一部を対応するデータ項目と共に送信する通信手段を更に備える。
【００３５】
この態様によれば、複数の当該情報表示装置により夫々収集されたデータを統合して比較的大規模なデータベースを作成することができる。この結果、例えば比較的精度の良い統計データ等をユーザに提供することが可能となる。或いは、例えばサーバ装置に蓄積されたデータに基づいて、新たな規格等を作成することが可能となる。
【００３６】
「複数のデータ値の少なくとも一部」は、例えば複数のデータ値のうち個人を特定可能なデータ値を除いたデータ値等を意味する。このように構成すれば、ユーザのプライバシーを適切に保護しつつ、当該情報表示装置に入力されたデータを収集することができる。
【００３７】
本発明の作用及び他の利得は次に説明する実施するための形態から明らかにされる。
【図面の簡単な説明】
【００３８】
【図１】本発明の実施形態に係る情報表示装置の構成を示すブロック図である。
【図２】本発明の実施形態に係るデータセットの一例である。
【図３】本発明の実施形態に係る記述的画像の一例である。
【図４】本発明の実施形態に係る図式的画像の一例である。
【図５】データが更新される際の記述的画像及び図式的画像各々の一例である。
【図６】本発明の実施形態に係る表示処理を示すフローチャートである。
【図７】本発明の実施形態に係る情報表示装置の表示部に表示される画面の一例である。
【図８】データが更新される際の記述的画像及び図式的画像各々の他の例である。
【図９】乳腺ＭＲＩに係る図式的画像の一例である。
【図１０】（ａ）術前療法に係る図式的画像、及び（ｂ）診療ガイドラインを示す画像各々の一例である。
【発明を実施するための形態】
【００３９】
以下、本発明の情報表示装置に係る実施形態について、図面に基づいて説明する。本実施形態では、本発明の情報表示装置が、医療機関において医師等を支援するための情報表示装置に適用された場合を例に挙げる。
【００４０】
先ず、本実施形態に係る情報表示装置の構成について、図１を参照して説明する。図１は、本実施形態に係る情報表示装置の構成を示すブロック図である。
【００４１】
図１において、情報表示装置１００は、表示部１１、記憶装置１２、ＣＰＵ（Ｃｅｎｔｒａｌ  Ｐｒｏｃｅｓｓｉｎｇ  Ｕｎｉｔ）１３、メモリ１４、入力手段１５及び通信手段１６を備えて構成されている。
【００４２】
記憶手段１２には、複数のデータセット１２１、及び複数の診療ガイドライン１２２が格納されている。複数のデータセット１２１の各々は、例えば図２に示すように、複数のデータ項目（例えば生年月日、５年リスク、部位、形等）と、該複数のデータ項目に夫々対応する複数のデータ値（例えば“ｙｙｙｙ年ｍｍ月ｄｄ日”、“１．４％”、“外下部”、“Ｒｏｕｎｄ”等）と、を含んで構成されている。
【００４３】
図２は、本実施形態に係るデータセットの一例である。図２に示したデータセット１２１は、乳癌患者に係るデータセットの一例である。データセット１２１における、例えば「身体所見」、「血液検査」、「マンモグラフィ」、「乳腺超音波」、「乳腺ＭＲＩ」等は、乳癌に係る診療工程に含まれる医療行為の一例である。また、データセット１２１における、例えば「Ｌ／Ｒ」、「部位」、「最大径」、「形」等は、上記医療行為に係る項目の一例である。
【００４４】
記憶手段１２に格納されている複数の診療ガイドライン１２２の各々は、上記医療行為の少なくとも一部に対応付けられている。
【００４５】
通信手段１６は、例えばインターネットやＬＡＮ（Ｌｏｃａｌ  Ａｒｅａ  Ｎｅｔｗｏｒｋ）等であるネットワーク３００を介して、サーバ装置２００に接続されている。通信手段１６は、サーバ装置２００に対して、記憶手段１２に格納された複数のデータセット１２１各々に含まれる複数のデータ値の少なくとも一部を、対応するデータ項目を示す情報と共に、ネットワーク３００を介して送信する。尚、当該情報表示装置１００及びサーバ装置２００間において授受されるデータは所定の暗号化方式により暗号化されている。
【００４６】
ここで特に、複数のデータセット１２１各々に含まれるデータ値のうち、例えば名前、生年月日、住所等の個人を特定可能な情報（即ち、個人情報）を除くデータ値が、サーバ装置２００に送信されるように当該情報通信装置１００を構成すれば、患者の個人情報を保護しつつ、疾病に係る症例データを好適に蓄積することができる。
【００４７】
図１に示すように、サーバ装置２００には、当該情報表示装置１００の他に、複数の情報表示装置１０１がネットワーク３００を介して接続されている。このため、サーバ装置２００には、当該情報表示装置１００の他に、複数の情報表示装置１０１各々から送信された、例えば症例データが蓄積されている。尚、情報表示装置１０１の構成は、当該情報表示装置１００の構成と同様であるので、説明を割愛する。
【００４８】
サーバ装置２００は、複数の診療ガイドラインを格納していてもよい。この場合、当該情報表示装置１００は、記憶手段１２に格納されている複数の診療ガイドライン１２２の少なくとも一部を、サーバ装置２００に格納されている複数の診療ガイドラインの少なくとも一部に基づいて更新してもよい。或いは、当該情報表示装置１００は、ネットワーク３００を介して、サーバ装置２００から新たな診療ガイドラインを取得してもよい。或いは、当該情報表示装置１００は、記憶手段１２に診療ガイドラインを格納せずに、ネットワーク３００を介して、サーバ装置２００に格納されている複数の診療ガイドラインの少なくとも一部を参照してもよい。
【００４９】
ＣＰＵ１３は、複数のデータセット１２１のうち一のデータセットに含まれる複数のデータ項目の少なくとも第１の部分に対応するデータ値を文字により示し、且つ該文字により示されたデータ値の少なくとも一部を変更可能な記述的画像（図３参照）を表示部１１に出力可能である。
【００５０】
ＣＰＵ１３は、更に、上記一のデータセットに含まれる複数のデータ項目の少なくとも第２の部分に対応するデータ値を図式的に示し、且つ該図式的に示されたデータ値の少なくとも一部を変更可能な図式的画像（図４参照）を表示部１１に出力可能である。
【００５１】
そして、ＣＰＵ１３は、入力手段１５によりユーザの入力が受け付けられた際に、該受け付けられた入力に応じて、記述的画像及び図式的画像の少なくとも一方の画像を表示部１１に出力する。
【００５２】
図３は、本実施形態に係る記述的画像の一例である。図４は、本実施形態に係る図式的画像の一例である。尚、図４の上段の図（即ち、“位置”に係る図）は、乳房及び腋窩を示す模式図の一例である。図４の下段の図（即ち、“サイズ”に係る図）は、腫瘤を示す模式図の一例である。図４の上段の図における網掛けが施された部分が、図３における腫瘤の位置（即ち、左乳房の外下部）に対応している。
【００５３】
図４に示すような図式的画像は、データセット１２１に含まれるデータ項目及びデータ値を図式化してユーザ提供するだけでなく、該図式的画像の基となるデータ値を入力又は変更するためにも用いることができる。具体的には例えば、図４の上段の図上の一の位置において、ユーザにより入力手段１５の一例としてのマウスがクリックされることにより、網掛けが施される位置（即ち、腫瘤の位置）が入力又は変更される。また、ユーザにより図４の下段の図におけるスライダーＳの「つまみ」の位置が変更されることにより、腫瘤のサイズが変更される。
【００５４】
そして、図式的画像に対する変更指示は、対応するデータセット１２１及び対応する記述的画像にも反映される。つまり、ＣＰＵ１３は、図式的画像に対する変更指示が、入力手段１５により受け付けられた場合に、該受け付けられた変更指示に応じて、データセット１２１に含まれるデータ値の少なくとも一部に対して変更を加えると共に、変更を加えられたデータセット１２１に基づいて、表示部１１に表示された記述的画像を更新する、又は記述的画像を生成して表示部１１に出力可能である。
【００５５】
同様に、記述的画像に対する変更指示は、対応するデータセット１２１及び対応する図式的画像にも反映される。具体的には例えば、図３に示された記述的画像、及び図４に示された図式的画像が表示部１１に表示されている際に、図５（ａ）に示すように、表示された記述的画像に対する腫瘤の位置の変更を示す変更指示が入力手段１５により受け付けられた場合（ここでは、“Ｌｅｆｔ”から“Ｒｉｇｈｔ”へ、“外下部”から“内上部”へ変更されたとする）、ＣＰＵ１３は、対応するデータセット１２１に含まれるデータ項目（ここでは、“Ｌ／Ｒ”及び“部位”）に対応するデータ値を変更する（図５（ｂ）参照）。続いて、ＣＰＵ１３は、変更されたデータセット１２１に基づいて、図式的画像を、図５（ｃ）に示すように更新する。尚、データセット１２１の更新処理と、図式的画像の更新処理とは並列して実施されてよい。
【００５６】
図５は、データが更新される際の記述的画像及び図式的画像各々の一例である。図５（ａ）に示した例では、プルダウンメニューにより部位が選択されるが、ユーザが直接入力するように構成されてもよい。
【００５７】
次に、以上のように構成された情報表示装置１００においてＣＰＵ１３が実行する表示処理について、図６のフローチャートを参照して説明する。
【００５８】
図６において、先ず、ＣＰＵ１３は、入力手段１５によりユーザの入力が受け付けられたか否かを判定する（ステップＳ１０１）。入力手段１５によりユーザの入力が受け付けられていないと判定された場合（ステップＳ１０１：Ｎｏ）、ＣＰＵ１３は一旦処理を終了する。
【００５９】
入力手段１５によりユーザの入力が受け付けられたと判定された場合（ステップＳ１０１：Ｙｅｓ）、ＣＰＵ１３は、該受け付けられた入力に応じて、対応するデータセット１２１に基づいて、記述的画像及び図式的画像の少なくとも一方を表示部１１に出力する（ステップＳ１０２）。
【００６０】
具体的には例えば、表示部１１に、図７に示すような画面が表示されている際に、ユーザにより、例えば「治療方針の決定」を示すボタンが押された（即ち、クリックされた）場合、ＣＰＵ１３は、例えば図８（ａ）に示すような画面が表示部１１に表示されるように、記述的画像及び図式的画像を出力する。
【００６１】
図７は、本実施形態に係る情報表示装置の表示部に表示される画面の一例である。図７において、左部はメニューバーの一例であり、中央部（即ち、“患者情報”）は記述的画像の一例であり、右部（即ち、“プロセス”）は図式的画像の一例である。
【００６２】
図７に示された「プロセス」は、患者の疾病（ここでは、乳癌）に係る診療工程を図式的に示した画像である。このような画像は、ＣＰＵ１３により、記憶手段１２に格納された複数の診療ガイドライン１２２の少なくとも一部に基づいて、或いは、サーバ装置２００に格納された複数の診療ガイドラインの少なくとも一部に基づいて、該診療工程を示す情報である診療工程情報が生成され、該生成された診療工程情報に基づいて生成される。
【００６３】
図７におけるマークｍ１及びｍ２各々は、進捗状況を示している。具体的には、マークｍ１は終了した工程であることを示しており、マークｍ２は現在の工程を示している。尚、図７において、例えば「リスク」及び「視触診」は、「診察」工程に含まれる下位の（即ち、詳細な）項目を示している。このような下位の項目は、「診察」工程に限らず、他の工程にも存在するが、ここでは図示を省略している。
【００６４】
図８（ａ）は、「治療方針の決定」工程に係る記述的画像（図８（ａ）左部“治療方針の決定”参照）、及び図式的画像（図８（ａ）右部“治療計画”参照）各々の一例である。ここで特に、図８（ａ）左部における「方針」の各項目（例えば“術前療法”等）に対応するデータ値は未定（即ち、未入力）である。同様に、図８（ａ）右部における「術前療法」、「リンパ節処置」及び「手術」各々の選択肢（例えば“無し”等）も選択されていない。
【００６５】
再び図６に戻り、ステップＳ１０２の処理の後、ＣＰＵ１３は、入力手段１５によりユーザからの、記述的画像及び図式的画像の一方に対する入力指示又は変更指示が受け付けられたか否かを判定する（ステップＳ１０３）。入力手段１５により入力指示又は変更指示が受け付けられていないと判定された場合（ステップＳ１０３：Ｎｏ）、ＣＰＵ１３は、一旦処理を終了する。
【００６６】
入力手段１５により入力指示又は変更指示が受け付けられたと判定された場合（ステップＳ１０３：Ｙｅｓ）、ＣＰＵ１３は、該受け付けられた入力指示又は変更指示に応じて、対応するデータセット１２１に含まれるデータ値の少なくとも一部に対して変更を加えると共に、該変更が加えられたデータセット１２１に基づいて、記述的画像及び図式的画像の他方を更新する（ステップＳ１０４）。
【００６７】
具体的には例えば、図８（ｂ）に示すように、ユーザにより、「化学」、「ＳＮＬＢ」及び「乳房温存術」が選択され、「ｄｏｎｅ」ボタンが押された場合（即ち、図式的画像に対する入力指示が受け付けられた場合）、ＣＰＵ１３は、対応するデータセット１２１に含まれるデータ値（ここでは、データ項目“術前療法”、“（腋窩）リンパ節処置”及び“手術”に対応するデータ値）に対して変更を加える。ＣＰＵ１３は、更に、該変更を加えられたデータセット１２１に基づいて、記述的画像（図８（ｃ）左部参照）を更新する。この結果、図８（ｃ）左部に示すように、「術前療法」、「腋窩リンパ節」及び「手術」の各項目に対応するデータ値が表示される。
【００６８】
ＣＰＵ１３は、更に、図８（ｃ）右部に示すように、変更を加えられたデータセット１２１に基づいて、図式的画像を更新、或いは新たな図式的画像を出力してもよい。ここでは、例えば術前化学療法を行う期間（即ち、３週間）と、ＳＮＬＢ（センチネルリンパ生検）を行うタイミングと、が図式的に示される。
【００６９】
次に、例えば、図７に示した画面において、ユーザにより、メニューバーの「精密検査」が選択され、更に、該「精密検査」の下位の項目である「乳腺ＭＲＩ」（図示せず）が選択された場合について、図９を参照して説明する。図９は、乳腺ＭＲＩに係る図式的画像の一例である。
【００７０】
ユーザにより「乳腺ＭＲＩ」が選択された場合、ＣＰＵ１３は、記憶装置１２に格納されている対応するデータセット１２１に基づいて、図９（ａ）に示すような図式的画像を表示部１１に出力する。尚、該図式的画像が表示部１１に出力された当初は、図９（ａ）に示すアイコンやボタン等は選択されていないものとする。
【００７１】
次に、ユーザにより上記図式的画像に含まれるアイコン及びボタンが選択された場合（ここでは、“Ｌｉｎｅａｒ”、“Ｌｉｎｅａｒ−ｄｕｃｔａｌ”及び“Ｈｏｍｏｇｅｎｅｏｕｓ”が選択され、“ｄｏｎｅ” ボタンが押された場合）、ＣＰＵ１３は、対応するデータセット１２１に含まれるデータ値の少なくとも一部に対して変更を加える。
【００７２】
ＣＰＵ１３は、更に、変更を加えられたデータセット１２１に含まれるデータ値のうち、乳腺ＭＲＩに対応するデータ値、サーバ装置２００に蓄積された症例データ等に基づいて、乳腺ＭＲＩに係る評価指標を特定し、該特定された評価指標を図式的画像の一部として出力する（図９（ｂ）参照）。
【００７３】
ここでは、ＣＰＵ１３は、該評価指標として、乳癌である確率を特定する。具体的には例えば、ＣＰＵ１３は、サーバ装置２００に蓄積された症例データのうち、乳腺ＭＲＩに対応するデータ値が「Ｌｉｎｅａｒ」、「Ｌｉｎｅａｒ−ｄｕｃｔａｌ」及び「Ｈｏｍｏｇｅｎｅｏｕｓ」である症例データを検索し、該検索された症例データ（ここでは、３例）から、乳癌である確率（ここでは、３３％）を特定する。
【００７４】
このように構成すれば、ユーザ（ここでは、医師等）の判断等のバラツキを抑制することができるので、医師毎又は医療機関毎に医療の質にバラツキが生じる可能性を低減することができる。
【００７５】
次に、例えば、図７に示した画面において、ユーザにより、メニューバーの「術前療法」が選択された場合について、図１０を参照して説明する。図１０（ａ）は、術前療法に係る図式的画像の一例であり、図１０（ｂ）は、診療ガイドラインを示す画像の一例である。
【００７６】
ユーザにより「術前療法」が選択された場合、ＣＰＵ１３は、記憶装置１２に格納されている対応するデータセット１２１に基づいて、図１０（ａ）に示すような図式的画像を表示部１１に表示する。
【００７７】
次に、ユーザにより上記図式的画像に含まれるアイコンａが押された場合、ＣＰＵ１３は、記憶手段１２に格納されている複数の診療ガイドライン１２２のうち、或いは、サーバ装置２００に格納されている複数の診療ガイドラインのうち、化学療法に対応する診療ガイドラインの内容の少なくとも一部を表示部１１に出力する（図１０（ｂ）参照）。
【００７８】
このように構成すれば、ユーザが比較的容易にして一の医療行為に対応する診療ガイドラインを参照することができ、実用上非常に有利である。
【００７９】
本実施形態に係る「ＣＰＵ１３」は、本発明に係る「出力手段」、「制御手段」、「診療工程生成手段」及び「特定手段」の一例である。本実施形態に係る「記憶手段１２」、「記述的画像」及び「図式的画像」は、夫々、本発明に係る「格納手段」、「第１画像」及び「第２画像」の一例である。
【００８０】
本発明の情報表示装置は、医療機関において医師等を支援するための情報表示装置に限らず、例えば企業内の一部門等の管理ツール、競技選手等のトレーニング管理ツール、学習計画の管理ツール等にも適用可能である。
【００８１】
本発明は、上述した実施形態に限られるものではなく、特許請求の範囲及び明細書全体から読み取れる発明の要旨或いは思想に反しない範囲で適宜変更可能であり、そのような変更を伴う情報表示装置もまた本発明の技術的範囲に含まれるものである。
【符号の説明】
【００８２】
１１…表示部、１２…記憶装置、１３…ＣＰＵ、１４…メモリ、１５…入力手段、１６…通信手段、１００、１０１…情報表示装置、１２１…データセット、１２２…診療ガイドライン、２００…サーバ装置、３００…ネットワーク
【図１】
2013020340.tif 000003
【図２】
2013020340.tif 000004
【図３】
2013020340.tif 000005
【図４】
2013020340.tif 000006
【図５】
2013020340.tif 000007
【図６】
2013020340.tif 000008
【図７】
2013020340.tif 000009
【図８】
2013020340.tif 000010
【図９】
2013020340.tif 000011
【図１０】
2013020340.tif 000012
【手続補正書】
【提出日】平成24年2月3日(2012.2.3)
【手続補正１】
【補正対象書類名】特許請求の範囲
【補正対象項目名】全文
【補正方法】変更
【補正の内容】
【特許請求の範囲】
【請求項１】
表示部と、
ユーザの入力を受付可能な入力手段と、
夫々（ｉ）乳癌に係る診療工程に含まれる一又は複数の医療行為に係る項目を含む複数のデータ項目及び（ｉｉ）前記複数のデータ項目に夫々対応する複数のデータ値を含んでなる複数のデータセットを格納する格納手段と、
（ｉ）前記格納された複数のデータセットのうち一のデータセットに含まれる複数のデータ項目の少なくとも第１の部分に対応するデータ値を文字により示し、且つ前記文字により示されたデータ値の少なくとも一部を変更可能な第１画像を前記表示部に出力可能であると共に、（ｉｉ）前記一のデータのセットに含まれる複数のデータ項目の少なくとも第２の部分に対応するデータ値を図式的に示し、且つ前記図式的に示されたデータ値の少なくとも一部を変更可能な第２画像を前記表示部に出力可能な出力手段と、
前記入力手段により前記ユーザの入力が受け付けられた際に、前記受け付けられた入力に応じて、前記第１画像及び前記第２画像の少なくとも一方の画像を前記表示部に出力するように前記出力手段を制御する制御手段と、
ネットワーク上に配置され、乳癌に係る複数の症例データを蓄積するサーバ装置と通信可能な通信手段と、
を備え、
前記出力された少なくとも一方の画像に対する第１の変更指示が前記入力手段により受け付けられた場合、前記制御手段は、前記受け付けられた第１の変更指示に応じて、前記一のデータセットに含まれるデータ値の少なくとも一部に対して変更を加え、
前記複数のデータ項目は、乳腺ＭＲＩに係る項目を含んでおり、
前記乳腺ＭＲＩに係る項目の表示指示が前記入力手段により受け付けられた場合、前記制御手段は、前記受け付けられた表示指示に応じて、夫々互いに異なる乳腺ＭＲＩの造影パターンを示す複数のアイコンを含んで構成される前記第２画像を前記表示部に出力するように前記出力手段を制御し、
前記出力された第２画像に含まれる複数のアイコンのうち一又は複数のアイコンが選択されることにより、前記乳腺ＭＲＩに係る項目に対応するデータ値が入力された場合、前記通信手段を介して、前記サーバ装置に蓄積された症例データのうち前記乳腺ＭＲＩに係る項目に対応するデータ値が、前記入力されたデータ値と一致する症例データを検索し、前記検索された症例データに基づいて乳癌である確率を特定する特定手段を更に備える
ことを特徴とする情報表示装置。
【請求項２】
前記第１画像及び前記第２画像が前記表示部に出力されている際に、前記出力された第１画像及び第２画像の一方に対する第２の変更指示が前記入力手段により受け付けられた場合、前記制御手段は、前記受け付けられた第２の変更指示に応じて、前記一のデータセットに含まれるデータ値の少なくとも一部に対して変更を加えると共に、前記変更が加えられた一のデータセットに基づいて、前記出力された第１画像及び第２画像の他方を更新するように前記出力手段を制御する
ことを特徴とする請求項１に記載の情報表示装置。
【請求項３】
前記格納手段は、更に、前記一又は複数の医療行為の少なくとも一部に対応付けられた複数の診療ガイドラインを格納し、
前記出力手段は、更に、前記格納された複数の診療ガイドラインのうち、前記一又は複数の医療行為のうち一の医療行為に対応付けられた診療ガイドラインを前記表示部に出力可能である
ことを特徴とする請求項１に記載の情報表示装置。
【請求項４】
前記格納された複数の診療ガイドラインの少なくとも一部に基づいて、前記診療工程を示す情報である診療工程情報を生成する診療工程生成手段を更に備えることを特徴とする請求項３に記載の情報表示装置。
【請求項５】
前記通信手段は、前記サーバ装置に対し、前記ネットワークを介して、前記格納手段に格納された複数のデータセット各々に含まれる複数のデータ値の少なくとも一部を対応するデータ項目と共に送信することを特徴とする請求項１乃至４のいずれか一項に記載の情報表示装置。
【手続補正２】
【補正対象書類名】明細書
【補正対象項目名】０００７
【補正方法】変更
【補正の内容】
【０００７】
本発明の情報表示装置は、上記課題を解決するために、表示部と、ユーザの入力を受付可能な入力手段と、夫々（ｉ）乳癌に係る診療工程に含まれる一又は複数の医療行為に係る項目を含む複数のデータ項目及び（ｉｉ）前記複数のデータ項目に夫々対応する複数のデータ値を含んでなる複数のデータセットを格納する格納手段と、（ｉ）前記格納された複数のデータセットのうち一のデータセットに含まれる複数のデータ項目の少なくとも第１の部分に対応するデータ値を文字により示し、且つ前記文字により示されたデータ値の少なくとも一部を変更可能な第１画像を前記表示部に出力可能であると共に、（ｉｉ）前記一のデータのセットに含まれる複数のデータ項目の少なくとも第２の部分に対応するデータ値を図式的に示し、且つ前記図式的に示されたデータ値の少なくとも一部を変更可能な第２画像を前記表示部に出力可能な出力手段と、前記入力手段により前記ユーザの入力が受け付けられた際に、前記受け付けられた入力に応じて、前記第１画像及び前記第２画像の少なくとも一方の画像を前記表示部に出力するように前記出力手段を制御する制御手段と、ネットワーク上に配置され、乳癌に係る複数の症例データを蓄積するサーバ装置と通信可能な通信手段と、を備え、前記出力された少なくとも一方の画像に対する第１の変更指示が前記入力手段により受け付けられた場合、前記制御手段は、前記受け付けられた第１の変更指示に応じて、前記一のデータセットに含まれるデータ値の少なくとも一部に対して変更を加え、前記複数のデータ項目は、乳腺ＭＲＩに係る項目を含んでおり、前記乳腺ＭＲＩに係る項目の表示指示が前記入力手段により受け付けられた場合、前記制御手段は、前記受け付けられた表示指示に応じて、夫々互いに異なる乳腺ＭＲＩの造影パターンを示す複数のアイコンを含んで構成される前記第２画像を前記表示部に出力するように前記出力手段を制御し、前記出力された第２画像に含まれる複数のアイコンのうち一又は複数のアイコンが選択されることにより、前記乳腺ＭＲＩに係る項目に対応するデータ値が入力された場合、前記通信手段を介して、前記サーバ装置に蓄積された症例データのうち前記乳腺ＭＲＩに係る項目に対応するデータ値が、前記入力されたデータ値と一致する症例データを検索し、前記検索された症例データに基づいて乳癌である確率を特定する特定手段を更に備える。
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】変更
【補正の内容】
【００２５】
本発明の情報表示装置の他の態様では、前記格納手段は、更に、前記一又は複数の医療行為の少なくとも一部に対応付けられた複数の診療ガイドラインを格納し、前記出力手段は、更に、前記格納された複数の診療ガイドラインのうち、前記一又は複数の医療行為のうち一の医療行為に対応付けられた診療ガイドラインを前記表示部に出力可能である。
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】削除
【補正の内容】
【手続補正１０】
【補正対象書類名】明細書
【補正対象項目名】００３３
【補正方法】削除
【補正の内容】
【手続補正１１】
【補正対象書類名】明細書
【補正対象項目名】００３４
【補正方法】変更
【補正の内容】
【００３４】
本発明の情報表示装置の他の態様では、前記通信手段は、前記サーバ装置に対し、前記ネットワークを介して、前記格納手段に格納された複数のデータセット各々に含まれる複数のデータ値の少なくとも一部を対応するデータ項目と共に送信する。